(57)【要約】【課題】きわめて簡単な手段で、ボイスコイルとスピーカを装着する筐体側に配置された外部端子との電気的接続を容易に行うことができ、しかも信頼性に富み、構造が簡単で、外形形状がシンプルなスピーカを提供する。【解決手段】少なくとも磁気回路、ボイスコイル６、ダイヤフラム７を装着したフレーム５と、このフレーム５に装着されるリング部材１０とでスピーカ１を構成するもので、前記リング部材１０に、一対の通電部１１，１１を互いに絶縁状態を保持しながら装着するとともに、各通電部１１にボイスコイル６のリード線８の先端部をそれぞれ接続する。【選択図】      図１
2004356713.tif 000002
【特許請求の範囲】
【請求項１】
少なくとも磁気回路、ボイスコイル、ダイヤフラムを装着したフレームと、このフレームに装着されるリング部材からなるものであって、
前記リング部材に、一対の通電部を互いに絶縁状態を保持しながら装着するとともに、各通電部にボイスコイルのリード線の先端部をそれぞれ接続したこと
を特徴とするスピーカ。
【請求項２】
前記リング部材は、
所要の厚みを有するリング主体からなるもので、その一方の面に、一対の導電性箔からなる帯状の通電部を、互いに絶縁状態を保持しながら装着したこと
を特徴とする請求項１に記載のスピーカ。
【請求項３】
前記リング部材は、
前記一対の通電部が設けられたリング主体に、それぞれ受入れ部を形成し、この受入れ部内に、スピーカを装着する筐体側に設けられた外部接続端子と、前記各通電部とを電気的に接続する接続端子の一端部が係合できるよう構成されていること
を特徴とする請求項１又は２に記載のスピーカ。
【請求項４】
前記リング部材は、
リング主体に設けられた各通電部に、スピーカを装着する筐体側に設けられた外部接続端子と係合可能な接続端子の一端部を、それぞれ一体的に取付けるとともに、その他端部を前記フレーム外に突出させたこと
を特徴とする請求項１又は２に記載のスピーカ。
【請求項５】
前記リング部材は、
前記リング主体の周縁の一部に、前記各通電部にボイスコイルのリード線を引き出すためのガイド溝が形成されていること
を特徴とする請求項１〜４のいずれかに記載のスピーカ。
【請求項６】
前記接続端子は、
導電性のピン体からなること
を特徴とする請求項３又は４に記載のスピーカ。
【請求項７】
前記フレームは、
前記リング部材に装着される接続部材を受入れるための、あるいはリング部材に装着された接続部材を外部に突出させるための挿通部が形成されていること
を特徴とする請求項３又は４に記載のスピーカ。
【発明の詳細な説明】
【０００１】
【発明の属する技術分野】
この発明は、各種の音響機器に使用されるスピーカ、より具体的には、ボイスコイルとフレームとの接続を簡略化し、信頼性と外形形状がシンプルなスピーカに関するものである。
【０００２】
【従来の技術】
携帯電話機、ヘッドフォン、ボイスメモなど小型機器に使用される薄型のスピーカにおいて、機器に取り付ける際の作業性に優れたスピーカとして、例えば、特開平８−２３７７９２号公報（特許文献１）では、磁気ギャップを形成した磁気回路と、この磁気回路を結合したフレームと、このフレームの周縁に外周部を結合すると共に、上記磁気ギャップに嵌まり込むボイスコイルを中心に結合した振動板と、前記ボイスコイルから引出された一対のリード線を接続するために、前記フレームに結合された端子板からなるスピーカユニットと、このスピーカユニットのフレームの外周部が嵌まり込む嵌合部を設けると共に、平面部中央に放音穴を設け、かつ一端が上記スピーカユニットの端子板に当接し、他端が外部へ突出した形状のバネ性を有した一対の接続端子を装着し、前記スピーカユニットを嵌め込んだ断面凹型のプロテクタにより構成することが提案されている。
【０００３】
また、特開２００１−３０９４８７号公報（特許文献２）においては、信頼性の高い組立工数の少ないスピーカの外部接続端子構造を有するスピーカとして、永久磁石と、この永久磁石の一方の磁極側に固定したポットヨークと、他方の磁極側に固定したトッププレートと、前記ポットヨークを固定したフレームと、前記フレームに固定した振動板と、前記振動板に固定したボイスコイルと、前記ボイスコイルの巻き線端末から外部へ接続する外部接続端子とを備えたスピーカにおいて、前記フレームに埋設したリードフレームの一部を前記フレームに形成した挿入孔内に露出させるとともに、挿入孔内にプローブピンを挿入し、このプローブピンと、前記リードフレームとを電気的に接続した動電型スピーカが提案されている。
【０００４】
【特許文献１】
特開平  ８−２３７７９２号公報（特許請求の範囲）
【特許文献２】
特開２００１−３０９４８７号公報（特許請求の範囲）
【０００５】
【発明が解決しようとする課題】
特許文献１において提案されたスピーカは、ボイスコイルは、そのリード線とスピーカ入力線とを、フレームの外周部に突出形成された端子板で接続する公知の接続方式を採用しているもので、フレームの前面部に嵌め込むプロテクタの一部に、一端が前記フレームの端子板に当接し、他端が外部に突出した形状のバネ性を有する接続端子を装着し、スピーカを使用する機器との間では、半田付けを要することなく電気的に接続できるが、フレームには端子板を突出させて設けることが必須の要件で、またバネ板を使用するので、長期の使用では、素材の劣化が生じ信頼性に問題がある。また、バネ板からなる接続端子を保持するプロテクタの構造自体が複雑であるため、生産性やコスト面においても解決すべき課題がある。
【０００６】
また、特許文献２に記載のスピーカは、スピーカと、当該スピーカを装着する機器との電気的接続は、プローブピンで行われるので、信頼性の点では有利なものであるが、当該プローブピンとボイスコイルとの電気的な接続は、フレームにインサートモールドされたリードフレームによるため、フレームの成形に際し、コスト面では問題が有り、また、プローブピン自体の構造も複雑で、小型化が望まれる機器のスピーカとしては必ずしも小型化には繋がらない。
【０００７】
この発明はかかる現状に鑑み、きわめて簡単な手段で、ボイスコイルとスピーカを装着する筐体側に配置された外部端子との電気的接続を容易に行うことができ、しかも信頼性に富み、構造が簡単で、外形形状がシンプルなスピーカを提供せんとするものである。
【０００８】
【課題を解決するための手段】
前記の目的を達成するため、この発明の請求項１に記載の発明は、
少なくとも磁気回路、ボイスコイル、ダイヤフラムを装着したフレームと、このフレームに装着されるリング部材からなるものであって、
前記リング部材に、一対の通電部を互いに絶縁状態を保持しながら装着するとともに、各通電部にボイスコイルのリード線の先端部をそれぞれ接続したこと
を特徴とするスピーカである。
【０００９】
請求項１に記載の発明によれば、フレーム内に互いに絶縁状態を保持した一対の通電部を有するリング部材を設けたので、各通電部にそれぞれボイスコイルのリード線の先端部を半田付け固着したので、当該通電部と筐体側に配置されたコネクタなどからなる外部端子との間を、適宜手段で電気的に接続することが可能になり、ボイスコイルと外部入力とを接続するための端子板をフレームに必要とせず、フレームの形状をきわめてシンプルなものとすることができる。
【００１０】
また、この発明の請求項２に記載の発明は、
請求項１に記載のスピーカにおいて、
前記リング部材は、
所要の厚みを有するリング主体からなるもので、その一方の面に、一対の導電性箔からなる帯状の通電部を、互いに絶縁状態を保持しながら装着したこと
を特徴とするものである。
【００１１】
請求項２に記載の発明によれば、前記作用に加え、リング部材の構成をより簡単なものとすることができ、スピーカをより小型化することが可能となる。
【００１２】
また、この発明の請求項３に記載の発明は、
請求項１又は２に記載のスピーカにおいて、
前記リング部材は、
前記一対の通電部が設けられたリング主体に、それぞれ受入れ部を形成し、この受入れ部内に、スピーカを装着する筐体側に設けられた外部接続端子と、前記各通電部とを電気的に接続する接続端子の一端部が係合できるよう構成されていること
を特徴とするものである。
【００１３】
請求項３に記載の発明によれば、リング部材に配置された一対の通電部のそれぞれに、接続端子の受入れ部が形成され、この受入れ部内に接続ピンなどからなる導電性の接続端子の一端部を係合させ、かつその他端部をスピーカが装着される筐体に形成された外部端子に接続するというきわめて簡便な手段で、ボイスコイルと外部端子とを導通させることができる。
【００１４】
また、この発明の請求項４に記載の発明は、
請求項１又は２に記載のスピーカにおいて、
前記リング部材は、
リング主体に設けられた各通電部に、スピーカを装着する筐体側に設けられた外部接続端子と係合可能な接続端子の一端部を、それぞれ一体的に取付けるとともに、その他端部を前記フレーム外に突出させたこと
を特徴とするものである。
【００１５】
請求項４に記載の発明によれば、リング部材に配置された一対の通電部のそれぞれに、あらかじめ外部接続端子と導通する接続端子が形成されているので、この接続端子の他端部を、筐体等に設けられた外部接続端子に接続するというきわめて簡便な手段で、ボイスコイルと外部接続端子とを導通させることができる。
【００１６】
また、この発明の請求項５に記載の発明は、
請求項１〜４のいずれかに記載のスピーカにおいて、
前記リング部材は、
前記リング主体の周縁の一部に、前記各通電部にボイスコイルのリード線を引き出すためのガイド溝が形成されていること
を特徴とするものである。
【００１７】
請求項５に記載の発明によれば、ボイスコイルとリング状部材を接続するに際し、リング主体の周縁の所要部位にガイド溝が形成されているので、このガイド溝に沿ってボイスコイルのリード線を引き出すことによって、効率的に配線処理を行うことができ、ダイヤフラムとボイスコイルのリード線が接触することもない。
【００１８】
さらに、この発明の請求項６に記載の発明は、
請求項３又は４に記載のスピーカにおいて、
前記接続端子は、
導電性のピン体からなること
を特徴とするものである。
【００１９】
請求項６に記載によれば、請求項３又は４の作用効果に加え、外部接続端子との接続をきわめて簡単に、しかも確実に行うことができる。
【００２０】
さらにまた、この発明の請求項７に記載の発明は、
請求項３又は４に記載のスピーカにおいて、
前記フレームは、
前記リング部材に装着される接続部材を受入れるための、あるいはリング部材に装着された接続部材を外部に突出させるための挿通部が形成されていること
を特徴とするものである。
【００２１】
請求項７に記載の発明によれば、前記接続端子の先端部をフレーム外に簡単に引き出すことができ、しかもその先端部を、スピーカが装着される筐体に形成されたコネクタなどの外部接続端子に接続するというきわめて簡便な手段で、ボイスコイルとスピーカ入力部等と導通させることができる。
【００２２】
【発明の実施の形態】
以下、この発明にかかるスピーカの好ましい実施の形態を、添付の図面に基づいて具体的に説明するが、この発明は、以下に記載の実施の形態にのみ限定されるものではなく、その要旨を変更しない範囲内において種々変更を加えることができる。
【００２３】
図１は、この発明のスピーカの一実施形態を示す一部を切欠いた裏面斜視図、図２は、図１におけるＡ−Ａ線に沿った半截断面図、図３は、図１におけるＢ−Ｂ線に沿った半截断面図である。
【００２４】
この発明のスピーカ１は、図２乃至図３から明らかなように、いわゆる壺型のポットヨーク２、このポットヨーク２の内底部上に同心円上に配置固定されるマグネット３、このマグネット３の上面に配置固着されるポールピース４からなる磁気回路と、前記ポットヨーク２の上部外周部に装着保持されるフレーム５と、前記磁気回路のギャップ内に保持されるボイスコイル６と、裏面部の所要部位には、前記ボイスコイル６の上端部が固着され、外周部が直接又はエッジを介して前記フレーム５の内周部の所要部位に装着保持されるダイヤフラム７の各部材から構成されたものである。
【００２５】
前記構成のスピーカ１において、１０はフレーム５に装着されるリング部材を示し、図２ないし図３に示すように、全体が所要の厚みを有するリング主体１０ａからなるもので、その外径はフレーム５の周壁５ａの内径とほぼ等しく、裏面には、図４で明らかなように、たとえばアルミ箔からなる帯状でかつ円弧状の通電部１１，１１（図３の斜線で表される部分）が一体的に固着されるとともに、その周縁部の一部に、ボイスコイル６のリード線８，８の先端部を、各通電部１１に半田付け手段によって固着するに際し、おおよその固定位置を指示し、かつリード線の引き出し方向を明らかにするためのガイド溝１３，１３が形成されたものである。
【００２６】
かかる構成のスピーカ１は、図２乃至図４で明らかなように、ボイスコイル６のリード線８，８の先端部を、ダイヤフラム７の裏面に沿ってリング部材１０方向に這わせながら、リング部材１０の下方から前記ガイド溝１３，１３を介して上方に引き出し、リング主体１０ａに形成した導電部１１，１１にそれぞれリード線８，８を半田付けＳしたのち、リング主体１０ａ上に顕出する各リード線８の先端部を切断除去する。
【００２７】
ついで、図２に示すように、前記のごとく半田付けＳをした部位を下側にした状態で、リング部材１０外周部に接着剤を塗布するとともに、当該部位をフレーム５の周壁５ａの内周部に、通電部を下方にして一体的に固着したもので、その上面に絶縁材料からなるダイヤフラム７の外周部を接着固定し、しかるのち、フレーム５の前面部にダイヤフラム７を保護するためのプロテクタ９を装着してスピーカ１を完成させるものである。
【００２８】
その際、フレーム５が樹脂などの絶縁材料で形成されている場合には、前記通電部１１，１１を直接フレーム５上に当接させて固着させてもよいが、フレーム５が金属などの導電材料で形成されている場合には、絶縁材料を介在させてフレーム５に当接固着するものである。
【００２９】
なお、前記の取付け方法は一つの方法にすぎず、フレーム５が導電材料で形成されている場合のみ、リング部材１０の通電部１１，１１がフレーム５と導通しないようにすれば、その取付け手段には特段の制限はないものである。
【００３０】
したがって、前記通電部１１，１１と、当該スピーカを装着する筐体に設けられた外部接続端子とを適宜手段で電気的に接続すれば、フレーム５に端子板を設ける必要性がなく、フレームをシンプルに構成することができる。
【００３１】
その際、例えば、図３ないし図４に示すように、前記リング部材１０を形成するリング主体１０ａの相対する部位で、しかも通電部１１が存在する部位に、上下に貫通する挿通孔からなる受入れ部１２を形成するとともに、この受入れ部１２，１２と対応するフレーム５に、それぞれ所要の径の挿通孔５ｂを形成しておけば、前記挿通孔５ｂから導電性のピン体からなる接続端子１４の頭部側を、着脱可能に差し込み、その先端に形成された端子部１４ａを前記受入れ部１２内に差し込めば、各接続端子１４が自動的に通電部１１と電気的に接続する。
したがって、図６に示すように、この接続端子１４，１４の基端部を、それぞれ筐体１５に突出形成されたコネクタ１６，１６に差し込めば、スピーカの入力信号をボイスコイル６に送り、ダイヤフラム７を振動させることができる。
【００３２】
また、図５に示すように、前記接続端子１４をあらかじめリング主体１０ａに固着してもよい。すなわち、リング主体１０ａに導電性のピン体からなる接続端子１４の基端部を固着し、この接続端子１４の先端部をフレーム５に形成した挿通孔５ｂから外部に突出させ、フレーム５外に突出した接続端子１４の先端部を筐体に形成されたコネクタ１６にそれぞれ接続させることによって、簡単かつ容易にスピーカ１と筐体に準備されたスピーカ入力線と接続させることができるもので、接続端子１４の長さは適用せんとする筐体との距離関係で自由に設定することができる。
【００３３】
【発明の効果】
この発明のスピーカは、互いに絶縁状態を保持しながら配置された一対の通電部を有するリング部材を、フレームの内周部に装着保持し、各通電部にボイスコイルのリード線の先端部をそれぞれ接続固着しているので、各通電部とスピーカを装着する筐体に形成された外部端子との間を、ピン体などからなる接続端子で導通させるだけでボイスコイルに入力信号を送ることができる。
【００３４】
特に、この発明のスピーカは、従来のようにフレームに外部入力用の端子板を設ける必要がないので、フレームの形状をきわめてシンプルなものとすることができ、また、ボイスコイルのリード線や外部入力の端子板への半田付け作業がなくなるので、生産効率の向上と生産コストの引き下げができ、信頼性の高いスピーカを提供できる。
【００３５】
さらに、この発明のスピーカは、当該スピーカを装着する筐体との間で、きわめて簡単な手段で互いに電気的に接続することが可能であるので、スピーカの小型化をさらに推進することができるなど、実用面で優れた効果を奏するものである。
【図面の簡単な説明】
【図１】この発明のスピーカの一実施形態を示す裏面斜視図である。
【図２】図１におけるＡ−Ａ線に沿った半截断面図である。
【図３】図１におけるＢ−Ｂ線に沿った半截断面図である。
【図４】図１のスピーカを構成するリング部材の裏面図である。
【図５】この発明にかかるリング部材の他の例を示す拡大断面図である。
【図６】筐体とスピーカの取付け状態の一例を示す説明図である。
【符号の説明】
１        スピーカ
２        ポットヨーク
３        マグネット
４        ポールピース
５        フレーム
６        ボイスコイル
７        ダイヤフラム
８        ボイスコイルのリード線
９        プロテクタ
１０      リング部材
１０ａ    リング主体
１１      通電部
１２      受入れ部
１３      ガイド溝
１４      接続端子
１５      スピーカ装着用の筐体
１６      コネクタ
【図１】
2004356713.tif 000003
【図２】
2004356713.tif 000004
【図３】
2004356713.tif 000005
【図４】
2004356713.tif 000006
【図５】
2004356713.tif 000007
【図６】
2004356713.tif 000008